(57)【要約】  【課題】  従来の木製の棺桶をそのまま使用できる遺体棺冷蔵保管装置を提供する。  【解決手段】冷凍機２２と冷却室２１とよりなる冷気供給装置を内蔵する基台２とこの基台の上に形成された棺桶収納筺体３とよりなり、棺桶収納筺体は着脱自在の蓋部４と四方を囲む４枚の側板５，６とを有する。この４枚の側板５，６はそれぞれ閉鎖位置と開放位置との間を回動できるようにヒンジ装置によって蝶着されているので、４枚の側板の開放位置で遺体収納棺桶１０を台座３６上に載置し、４枚の側板５，６を閉鎖位置に立設し、蓋部４を被せれば密閉された棺桶収納筺体３が構成される。そして、冷気供給装置より冷気を送り冷気循環路２６を介して棺桶１０内に供給すれば遺体の腐敗を長期に亘り防止することができる。  【選択図】 図６
0003115108.tif 000002
【実用新案登録請求の範囲】
【請求項１】
冷気供給装置を内蔵する基台と該基台の上に形成された棺桶収納筺体とよりなり、上記棺桶収納筺体は着脱自在の蓋部と四方を囲む４枚の側板とを有し、該４枚の側板はそれぞれ閉鎖位置と開放位置との間を変位可能に移動できるように構成されていることを特徴とする遺体棺冷蔵保管装置。
【請求項２】
上記基台の冷気供給装置は冷凍機によって空気を冷却する冷却室、上記冷却室と上記棺桶収納筺体とを連結する冷気循環路および上記冷却室で生成された冷気を上記棺桶収納筺体内に圧送するための送風機とを備えていることを特徴とする請求項１記載の遺体棺冷蔵保管装置。
【請求項３】
上記冷気供給装置の冷気循環路内に冷気の除菌装置および脱臭装置とを設けたことを特徴とする請求項２記載の遺体棺冷蔵保管装置。
【請求項４】
上記棺桶収納筺体の４枚の側板はそれぞれ基台の上面周辺に上下に１８０度回転できるようにヒンジ装置によって回転自在に蝶着されていることを特徴とする請求項１記載の遺体棺冷蔵保管装置。
【請求項５】
上記４枚の側板が閉鎖位置にあるとき隣り合った側板同士が互いに吸着固定されるように各側板の対向する接合面に永久磁石の吸着片がそれぞれ設けられていることを特徴とする請求項４記載の遺体棺冷蔵保管装置。
【請求項６】
上記４枚の側板のうち少なくとも２枚の側板の底面が基台の上面に吸着固定されるように、該側板の底面とそれに対向する基台の上面にそれぞれ永久磁石の吸着片が設けられていることを特徴とする請求項４記載の遺体棺冷蔵保管装置。
【請求項７】
上記棺桶収納筺体の４枚の側板の内少なくとも１枚が閉鎖位置と開放位置との間を上下摺動でき、残りの側板が閉鎖位置と開放位置との間を上下に１８０度回転できるように構成されていることを特徴とする請求項１記載の遺体棺冷蔵保管装置。
【請求項８】
上記棺桶収納筺体の蓋体には遺体の顔面を拝観できる開閉自在の窓を設けたことを特徴とする請求項１記載の遺体棺冷蔵保管装置。
【請求項９】
上記基台に運搬用のキャスタを設けたことを特徴とする請求項１記載の遺体棺冷蔵保管装置。
【請求項１０】
上記基台の上面に、載置された遺体棺と該基台との間に隙間が生じるように持ち上げ用台座を設けたことを特徴とする請求項１記載の遺体棺冷蔵保管装置。
【考案の詳細な説明】
【技術分野】
【０００１】
本考案は、棺桶内の遺体を長時間保冷し、遺体の腐敗や雑菌の繁殖を防止すると共に、葬儀斎場において荘厳な雰囲気を醸し出す遺体棺冷蔵保管装置に関する。
【背景技術】
【０００２】
棺桶の遺体を保冷するために通常ドライアイスが使用されている。ところがドライアイスは気化して炭酸ガスとなるので地球温暖化の見地からその使用が制限されている。
【０００３】
ドライアイスに替わるものとして、冷凍機の冷気を棺桶内に導入して、遺体の保冷を行う装置が種々提案されている。その大部分は、別置きの冷凍装置から冷気をゴムホースによって棺桶内に導入する方式のものが多い。この装置の場合は、冷気を導入するホースの長さによって設置位置が制限を受けると共に、ホースを引きずっているので移動性に欠けるという欠点がある。
【０００４】
そこで、空気冷却機を内蔵するキャスタの上に棺桶を載置する棺桶保冷装置が提案され、特開２００３−１９０２３２号公報に開示された。
【特許文献１】特開２００３−１９０２３２号公報
【考案の開示】
【考案が解決しようとする課題】
【０００５】
上記特開２００３−１９０２３２号公報に開示されている棺桶保冷装置は、冷気流通棺自体を遺体の棺桶として使用しているので、既存の棺桶が使用できない、特別の構造をしているので特注になる等の理由で高価になる欠点がある。
【０００６】
使用済み棺桶保冷装置を再度使用することもできるが、衛生面や使用者の心情の問題から余り好ましくない。従って、引例の発明の冷気流通棺は遺体と共に焼却されるので、特注の棺桶をその都度製作することになり高価になり不経済である。
【０００７】
また、この構造では冷気流通棺に遺体を収容して棺冷却装置の上に載置してから冷却装置を始動することになるので、冷却の立ち上がりが悪いという欠点がある。
【０００８】
本考案は、再使用できるが衛生的で経済的な遺体棺冷蔵保管装置を提供することを第１の目的とする。
【０００９】
本考案は、従来の棺桶はそのまま使用できる経済的な遺体棺冷蔵保管装置を提供することを第２の目的とする。
【００１０】
本考案は、葬儀の雰囲気に合わせて荘厳な外観をデザインすることのできる遺体棺冷蔵保管装置を経済的に提供することを第３の目的とする。
【００１１】
本考案は、冷却の立ち上がりがよく、冷却効率の高い遺体棺冷蔵保管装置を経済的に提供することを第４の目的とする。
【課題を解決するための手段】
【００１２】
本発明の遺体棺冷蔵保管装置は、冷気供給装置を内蔵する基台と該基台の上に形成された棺桶収納筺体とよりなり、上記棺桶収納筺体は着脱自在の蓋部と四方を囲む４枚の側板とを有し、該４枚の側板はそれぞれ閉鎖位置と開放位置との間を変位可能に移動できるように構成されていることを特徴とする。上記基台と棺桶収納筺体とは一体的に構成してもよいが、基台と棺桶収納筺体とを別々に形成して適宜分離できるように構成してもよい。
【００１３】
上記基台の冷気供給装置は冷凍機によって空気を冷却する冷却室、上記冷却室と上記棺桶収納筺体とを連結する冷気循環路および上記冷却室で生成された冷気を上記棺桶収納筺体内に圧送するための送風機とを備えている。
【００１４】
上記冷気供給装置の冷気循環路内には冷気の除菌装置および脱臭装置とが設けられている。除菌装置としてはホルマリン、塩素系殺菌剤、光触媒等を含浸させたフイルタや紫外線照射装置等が使用できる。また、脱臭装置としては活性炭やゼオライト等の吸着剤を収容したフイルタまたは通気性のブロックが使用できる。        
【００１５】
上記棺桶収納筺体の４枚の側板はそれぞれ基台の上面周辺に上下に１８０度回転できるようにヒンジ装置によって回転自在に蝶着されている。また、４枚の側板が閉鎖位置にあるとき隣り合った側板同士が互いに吸着固定されるように各側板の対向する接合面に永久磁石の吸着片がそれぞれ設けられている。
【００１６】
上記４枚の側板のうち少なくとも２枚の側板の底面が基台の上面に吸着固定されるように、該側板の底面とそれに対向する基台の上面にそれぞれ永久磁石の吸着片が設けられている。
【００１７】
上記棺桶収納筺体の４枚の側板の内少なくとも１枚が閉鎖位置と開放位置との間を上下摺動でき、残りの側板が閉鎖位置と開放位置との間を上下に１８０度回転できるように構成することもできる。すなわち、上下に摺動できる側板は１枚、２枚、３枚の場合のほか４枚すべてを摺動できるように構成してもよい。
【００１８】
上記棺桶収納筺体の蓋体には遺体の顔面を拝観できる開閉自在の窓を設け、上記基台に運搬用のキャスタを設けることができる。
【考案の効果】
【００１９】
（１）本発明の遺体棺冷蔵保管装置は、冷気供給装置を内蔵する基台と該基台の上に形成された棺桶収納筺体とよりなり、上記棺桶収納筺体は着脱自在の蓋部と四方を囲む４枚の側板とを有し、該４枚の側板はそれぞれ閉鎖位置と開放位置との間を変位可能に移動できるように構成されているので、４枚の側板の開放位置で遺体収納棺桶を基台上に載置し、４枚の側板を閉鎖位置に立設し、蓋部を被せれば密閉された棺桶収納筺体が構成され、冷気供給装置より冷気を棺桶内に供給すれば遺体の腐敗や雑菌の繁殖を長期に亘り防止することができる。
【００２０】
（２）本発明の遺体棺冷蔵保管装置の棺桶収納筺体は着脱自在の蓋部と四方を囲む４枚の側板とを有し、該４枚の側板はそれぞれ閉鎖位置と開放位置との間を変位可能に移動できるように構成されているので、葬儀終了後、蓋部をはずし、４枚の側板を開放位置に回動させれば遺体収納棺桶が基台上に露出するので、最後のお別れの遺体収納棺桶内への献花や棺桶の霊柩車への運び出しの諸行事をスムーズにしかも葬儀の雰囲気を壊すことなく行うことができる。
【００２１】
（３）本発明の遺体棺冷蔵保管装置の棺桶収納筺体の４枚の側板はそれぞれ閉鎖位置と開放位置との間を変位可能に移動できるように構成されているので、その表裏両面に葬儀の雰囲気にマッチしたデザインの図柄を描くことができ、しかも、閉鎖位置と開放位置の両位置で異なる図柄を表示することができ、葬儀の雰囲気作りの効果を上げることができる。
【００２２】
（４）本発明の遺体棺冷蔵保管装置は、冷気供給装置を内蔵する基台と該基台の上に形成された棺桶収納筺体とより構成されているので、予め遺体収納棺桶を載置する前に冷気供給装置を始動させておけば、遺体収納棺桶を搬入直後から効率よく遺体の冷却を行うことができ遺体の損傷、腐敗を防止することができる。
【００２３】
（５）本発明の遺体棺冷蔵保管装置は、冷気供給装置を内蔵する基台と該基台の上に形成された棺桶収納筺体とが一体的に構成され、しかも基台にはキャスタが付設されているので、外付けの冷気供給装置のホースの引き回しによる不都合を回避し、機動性の高い遺体棺桶保存装置を提供することができる。
【考案を実施するための最良の形態】
【００２４】
本考案の最良の実施形態を次の実施例１および実施例２によって説明する。
【実施例１】
【００２５】
本考案の遺体棺冷蔵保管装置１は図６に示すように、冷凍機２２と冷却室２１とより構成された冷気供給装置を内蔵する基台２とこの基台２の上に一体的に形成された棺桶収納筺体３とより構成されている。さらに、図１〜図５に示されるように、棺桶収納筺体３は着脱自在の蓋部４と四方を囲む４枚の側板、すなわち、２枚の長尺回動側板５，５および２枚の短尺回動側板６，６ならびに基台２の上面の仕切り板３１とにより遺体の棺桶を収容できる立方形の空間が形成されている。
【００２６】
図１に示される蓋部４には内部を透視できない観音開きの窓４１が設けられている。窓４１の下には開放できないガラス板が固定されている。従って観音開きの窓４１を開くと遺体の顔面を拝観することができるが内部の冷気は外部に漏洩することはない。また、図６に示されるように、蓋部４の下縁には切り欠き４２が設けられているので、蓋部４を被せるとき閉鎖位置にある４枚の側板５，６の上縁に設けられた切り欠き３７と嵌合して密着して冷気が外部に漏洩することはなくなる。なお、４３は蓋部４を持ち上げるための把手部である。
【００２７】
棺桶収納筺体の４枚の側板は、図２〜図５に示されるように、それぞれ閉鎖位置と開放位置との間を１８０度回動できるようにヒンジ装置である蝶番３２，３３によって基台２の上面の４周に蝶着されている。また、４枚の側板が閉鎖位置にあるとき隣り合った側板同士が互いに吸着固定されるように各側板の対向する接合面に永久磁石の吸着片３４，３４がそれぞれ設けられている。
【００２８】
さらに２枚の短尺回動側板６の底面が基台２の上面に吸着固定されるように、側板６の底面とそれに対向する基台上面の４周にそれぞれ永久磁石の吸着片３５が設けられている。これによって長尺回動側板５が解放位置にある時でも短尺回動側板６は自立できる。
【００２９】
図４および図５に示されるように、棺桶収納筺体３の底面すなわち基台２の仕切り板３１の上面には２本の台座３６が設けられている。この台座３６の上に遺体を収納した普通の木製の棺桶１０を載置する。葬儀終了後木製の棺桶１０を霊柩車に移すために運び出す際に棺桶１０はこの台座３６によって仕切り板３１との間に隙間が生じているので手先で棺桶１０を持ち上げるのに都合よくなっている。
【００３０】
基台２は密封された方形の筺体をなし、その筺体内に設置された冷気供給装置は冷凍機２２によって空気を冷却する冷却室２１、冷却室２１と棺桶収納筺体３とを連結する送り冷気循環路２６および上記冷却室２１で生成された冷気を棺桶収納筺体３内に圧送するための送風機２３とを備えている。送り冷気循環路２６は基台２の仕切り板３１に開けられた冷気流出口２８より棺桶収納筺体３に連通し、同じく仕切り板３１の反対側に開けられた冷気吸引口２９から戻り冷気循環路２７を介して冷気供給装置の除菌装置２４、脱臭装置２５に連通している。
【００３１】
さらに、基台には運搬用のキャスタ３０が設けられている。キャスタ３０にはロック装置が取り付けられている。
【実施例２】
【００３２】
この実施例では、遺体棺冷蔵保管装置は図１の蓋部４と図７に示される基台８と棺桶収納筺体９とより構成されている。図８に示されるように、棺桶収納筺体９の４枚の側板の内、短尺の２枚の上下側板７が閉鎖位置と開放位置との間を上下摺動できるように構成され、残りの２枚の長尺回動側板５１が閉鎖位置と開放位置との間を上下に１８０度回動できるように構成されている。
【００３３】
そのために図９および図１０に示されるように、基台８の側面を左右に延長してその延長部に上下方向の凹溝８２を削設してレールとし、このレールに嵌合できる嵌合用突条７２を短尺の上下側板７の左右に形成し、側板７がレールに沿って上下に摺動できるようにする。また、側板７の上下動を助けるために側板７の上部に取手７１を設け、側板７を上昇位置で固定するためのスライド固定金具７３を左右に２個設ける。この固定金具７３には左右に摺動してレールに設けた凹孔にその先端が突出するストッパ７４が設けられている。
【００３４】
棺桶収納筺体９の側板５１の左右端には短い上下側板７の左右に設けられた嵌合用突条７２に嵌合できる環嵌合用凹溝５２を設ける。上下側板７を上方に摺動させて固定した閉鎖位置において長尺回動側板５１を閉鎖位置に回動させて嵌合用突条７２と嵌合用凹溝５２とを嵌合させると長尺回動側板５１を閉鎖位置に固定することができる。
【図面の簡単な説明】
【００３５】
【図１】棺桶収納筺体の蓋部を示す斜視図。
【図２】遺体棺冷蔵保管装置の要部を示す斜視図。
【図３】本発明の実施例１の棺桶収納筺体の側板を水平方向まで開いた状態を示す斜視図。
【図４】同上平面図。
【図５】同上側面図。
【図６】本発明の実施例１の遺体棺冷蔵保管装置の断面図。
【図７】本発明の実施例２の遺体棺冷蔵保管装置の要部の斜視図。
【図８】本発明の実施例２の棺桶収納筺体の長手の側板を水平方向まで開き、短尺の側板を上方位置に固定した状態を示す斜視図。
【図９】同上の短尺の側板を上方位置に固定した状態を示す斜視図。
【図１０】同上の部分的平面図。
【符号の説明】
【００３６】
１   遺体棺冷蔵保管装置
２   基台
３   棺桶収納筺体
４  蓋部
５  長尺回動側板
６  短尺回動側板
７  上下側板
８  基台
９  棺桶収納筺体
１０  棺桶
２１  冷却室
２２  冷凍機
２３  送風機
２４  除菌装置
２５  脱臭装置
２６  送り冷気循環路
２７  戻り冷気循環路
２８  冷気流出口
２９  冷気吸引口
３０  キャスタ
３１  仕切り板
【図１】
0003115108.tif 000003
【図２】
0003115108.tif 000004
【図３】
0003115108.tif 000005
【図４】
0003115108.tif 000006
【図５】
0003115108.tif 000007
【図６】
0003115108.tif 000008
【図７】
0003115108.tif 000009
【図８】
0003115108.tif 000010
【図９】
0003115108.tif 000011
【図１０】
0003115108.tif 000012